(57)【要約】【課題】  撮影した被写体像を画像データとして記録可能であり、外部記録装置に画像データを転送可能な撮像装置と転送された画像データを記録可能な外部記録装置とから構成される画像管理システムにおいては、撮像装置及び外部記録装置に記録された画像データが消去・修正等された場合であっても、画像データが消去・修正された機器と異なる機器に保存された画像データの情報が変更されることがないため、実際の画像データの保存状況を把握することが困難であった。【解決手段】  一方の機器で画像データが消去・修正等された場合には、画像データの変更情報を他方の機器に送信し、報知手段を用いて撮影者に報知することにより、画像管理システムにおける画像データの変更を一つの機器で確認することを可能な構成とする。【選択図】  図７
2007300163.tif 000002
【特許請求の範囲】
【請求項１】
撮像された被写体像の主画像信号を含む画像データを記録媒体に記録する撮像装置と、撮像装置から送られた画像データを記録可能な外部記録装置とからなる画像管理システムにおいて、
前記記録媒体に記録された複数の前記画像データ及び、前記撮像装置のアドレス情報を前記外部記録装置に送信する送信手段と、前記画像データが記録された前記外部記録装置のアドレス情報を受信する第１の受信手段と、前記記録媒体に記録された画像データと前記外部記録装置のアドレス情報とを関連付けて前記記録媒体に記録する合成記録手段とを有し、前記外部記録装置からの画像データの変更情報を受信する第２の受信手段と、前記第２の受信手段により受信した前記画像データの変更情報を報知する報知手段とを有することを特徴とする画像管理システム。
【請求項２】
前記外部記録装置は、前記撮像装置から送信された前記画像データ及び前記撮像装置のアドレス情報を受信する第１の受信手段と、前記外部記録装置のアドレス情報を前記撮像装置に送信する第１の送信手段と、前記外部記録装置に記録された画像データを変更可能な画像データ変更手段と、該画像データ変更手段により変更された前記画像データの変更情報を送信する第２の送信手段とを有することを特徴とする請求項１に記載の画像管理システム。
【請求項３】
前記画像データの変更とは、前記画像データの消去あるいは修正を表すことを特徴とする請求項１又は、請求項２に記載の画像管理システム。
【請求項４】
前記外部記録装置内画像データの変更情報の検出は前記撮像装置から前記外部記録装置への画像データの転送時に行なうことを特徴とする請求項１〜請求項３のいずれかに記載の画像管理システム。
【請求項５】
前記画像データの変更情報検出の結果、前記外部記録装置内の画像データが変更されていると検出された場合には、前記外部記録装置から前記撮像装置に前記画像データの変更情報を送信することを特徴とする請求項１〜請求項４のいずれかに記載の画像管理システム。
【請求項６】
複数のデータ送受信モードと該複数のデータ送受信モードの中から１つを選択可能な選択手段とを有し、前記選択手段により選択されたデータ送受信モードによって前記外部記録装置内の画像データの変更情報を検出するタイミングを変更することを特徴とする請求項１〜請求項５のいずれかに記載の画像管理システム。
【請求項７】
撮像された被写体像の主画像信号を含む画像データを記録媒体に記録する撮像装置と、撮像装置から送られた画像データを記録可能な外部記録装置とからなる画像管理システムにおいて、
前記記録媒体に記録された複数の前記画像データ及び前記撮像装置のアドレス情報を前記外部記録装置に送信する第１の送信手段と、前記画像データが記録された前記外部記録装置のアドレス情報を受信する第１の受信手段と、前記記録媒体に記録された画像データと前記外部記録装置のアドレス情報とを関連付けて前記記録媒体に記録する合成記録手段とを有し、前記記録媒体に記録された画像データを変更可能な画像データ変更手段と、前記画像データが記録された前記外部記録装置に前記画像データの変更情報を送信する第２の送信手段とを有することを特徴とする画像管理システム。
【請求項８】
前記外部記録装置は、前記撮像装置から送信された前記画像データ及び前記撮像装置のアドレス情報を受信する第１の受信手段と、前記外部記録装置のアドレス情報を前記撮像装置に送信する第１の送信手段と前記画像データの変更情報を受信する第２の受信手段と、該第２の受信手段により受信した前記画像データの変更情報を報知する報知手段とを有することを特徴とする請求項７に記載の画像管理システム。
【請求項９】
前記画像データの変更とは、前記画像データの消去あるいは加工を表すことを特徴とする請求項７又は、請求項８に記載の画像管理システム。
【請求項１０】
前記画像データの変更情報の検出は前記撮像装置から前記外部記録装置への前記画像データの転送時に行なうことを特徴とする請求項７〜請求項９のいずれかに記載の画像管理システム。
【請求項１１】
前記画像データの変更情報検出の結果、前記記録媒体内の画像データが変更されていると検出された場合には、前記撮像装置から前記外部記録装置に前記画像データの変更情報を送信することを特徴とする請求項７〜請求項１０のいずれかに記載の画像管理システム。
【請求項１２】
複数のデータ送受信モードと該複数のデータ送受信モードの中から１つを選択可能な選択手段とを有し、前記選択手段により選択されたデータ送受信モードによって前記記録媒体内の画像データの変更情報を検出するタイミングを変更することを特徴とする請求項７〜請求項１１のいずれかに記載の画像管理システム。
【発明の詳細な説明】
【技術分野】
【０００１】
本発明は撮像装置及び撮像装置により撮像した画像の管理システムに関するものである。
【背景技術】
【０００２】
被写体像を画像データとして記録媒体に記録可能な撮像装置において、昨今の撮像素子の高画素化に伴い、静止画１枚分の画像データのサイズが大きくなってきている。また、信号処理の高速化に伴って動画の撮影も可能になっている。この結果、記録媒体に記録する画像データの総データ量も飛躍的に増加しており、ユーザーは撮影時に記録媒体の空き容量が十分であるかどうか常に意識する必要がでてきている。
【０００３】
そこで、従来撮影された被写体の主画像信号及び縮小画像信号を含む画像データを記録媒体に記録する撮像装置において、容量の大きい主画像信号を含む画像データを外部記録装置に転送して、撮像装置の記録媒体には容量の小さい縮小画像信号を含む画像データのみを残すことにより記録媒体の空き容量を増やす提案がなされている。
【０００４】
また、撮影された被写体の主画像信号及び縮小画像信号を含む画像データを記録媒体に記録する撮像装置において、記録媒体に記録された複数の画像データを外部記録装置に送信する第１送信手段と、第１送信手段によって送信された複数の画像データを記録媒体から消去する消去手段と、外部記録装置から複数の縮小画像信号を受信する第１受信手段と、第１受信手段によって受信された複数の縮小画像信号の中から所望の縮小画像信号を選択する選択手段、および選択手段によって選択された所望の縮小画像信号を含む画像データを外部記録装置から受信する第２の受信手段を備えることにより、撮像装置には縮小画像信号を含む画像データのみを残し、撮像装置から外部記録装置に記録された主画像信号を含む画像データ及び主画像信号を含む画像データが保存された外部記録装置の場所を確認可能とする提案がなされている。（特開2001-197429）
上記提案においては、撮像装置に容量の小さい縮小信号を含む画像データのみを残して、容量の大きな主画像信号を含む画像データを残さないことにより、撮像装置の撮影可能枚数を増すことを可能とし、さらに、主画像信号を含む画像データの記録された外部記録装置の場所を確認可能とすることにより、撮像装置から主画像信号を含む画像データの記録された外部記録装置と通信して主画像を呼び出すことを可能としている。
【０００５】
また、撮影された画像データをネットワークを介して接続される外部記録装置に転送する撮像装置において、レリーズ釦を半押しされると、前記外部記録装置との接続を試みる接続手段と、接続先の外部記録装置に新たな画像データを格納し得るか否か確認する確認手段とを備え、格納し得ないと確認された場合に、その旨を警告する警告手段とを備えるという提案がなされている。（特開2002-94858）
上記提案においては、撮影された画像データを外部記録装置に転送する前に外部記録装置に格納可能か否かを判断し、外部記録装置に格納できないと判断された場合には撮像装置に警告を出すことにより無駄な転送動作を避けることが可能となる。
【特許文献１】特開2001-197429号公報
【特許文献２】特開2002-94858号公報
【発明の開示】
【発明が解決しようとする課題】
【０００６】
上記従来例によると、以下のような問題が生じる。
【０００７】
特開2001-197429においては、外部記録装置に転送された主画像信号を含む画像データを撮像装置から読み出して確認可能とし、また画像データの転送先の確認も可能であるが、外部記録装置において画像データの消去や修正等が行われた場合であっても、オリジナルの画像データの転送先等の情報が変更されることがないため、このような場合であっても転送されたオリジナルの画像データが外部記録装置に格納されているか否か、実際の状況を撮像装置から確認することが困難であった。
【０００８】
また、特開2002-94858においては、撮影された画像データをネットワークを介して接続される外部記録装置に転送する撮像装置において、接続先の外部記録装置に新たな画像データを格納し得るか否かを転送する前に確認することが可能であるが、やはり、外部記録装置において画像データの消去や修正等が行われた場合であっても、オリジナルの画像データの転送先等の情報が変更されることがないため、このような場合であっても転送されたオリジナルの画像データが外部記録装置に格納されているか否か、実際の状況を撮像装置から確認することが困難であった。
【課題を解決するための手段】
【０００９】
前記状況を解決する手段として、第一に、撮像された被写体像の主画像信号を含む画像データを記録媒体に記録する撮像装置と、撮像装置から送られた画像データを記録可能な外部記録装置とからなる画像管理システムにおいて、前記記録媒体に記録された複数の前記画像データ及び前記撮像装置のアドレス情報を前記外部記録装置に送信する送信手段と、前記画像データが記録された前記外部記録装置のアドレス情報を受信する第１の受信手段と、前記記録媒体に記録された画像データと前記外部記録装置のアドレス情報とを関連付けて前記記録媒体に記録する合成記録手段とを有し、前記外部記録装置からの画像データの変更情報を受信する第２の受信手段と、前記第２の受信手段により受信した前記画像データの変更情報を報知する報知手段とを有することを特徴とする。
【００１０】
第二に、前記外部記録装置は、前記撮像装置から送信された前記画像データ及び前記撮像装置のアドレス情報を受信する第１の受信手段と、前記外部記録装置のアドレス情報を前記撮像装置に送信する第１の送信手段と、前記外部記録装置に記録された画像データを変更可能な画像データ変更手段と、該画像データ変更手段により変更された前記画像データの変更情報を送信する第２の送信手段とを有することを特徴とする画像管理システム。
【００１１】
第三に、前記画像データの変更とは、前記画像データの消去あるいは修正を表すことを特徴とする。
【００１２】
第四に、前記外部記録装置内画像データの変更情報の検出は前記撮像装置から前記外部記録装置への画像データの転送時に行なうことを特徴とする。
【００１３】
第五に、前記画像データの変更情報検出の結果、前記外部記録装置内の画像データが変更されていると検出された場合には、前記外部記録装置から前記撮像装置に前記画像データの変更情報を送信することを特徴とする。
【００１４】
第六に、複数のデータ送受信モードと該複数のデータ送受信モードの中から１つを選択可能な選択手段とを有し、前記選択手段により選択されたデータ送受信モードによって前記外部記録装置内の画像データの変更情報を検出するタイミングを変更することを特徴とする。
【００１５】
第七に、撮像された被写体像の主画像信号を含む画像データを記録媒体に記録する撮像装置と、撮像装置から送られた画像データを記録可能な外部記録装置とからなる画像管理システムにおいて、前記記録媒体に記録された複数の前記画像データ及び前記撮像装置のアドレス情報を前記外部記録装置に送信する第１の送信手段と、前記画像データが記録された前記外部記録装置のアドレス情報を受信する第１の受信手段と、前記記録媒体に記録された画像データと前記外部記録装置のアドレス情報とを関連付けて前記記録媒体に記録する合成記録手段とを有し、前記記録媒体に記録された画像データを変更可能な画像データ変更手段と、前記画像データが記録された前記外部記録装置に前記画像データの変更情報を送信する第２の送信手段とを有することを特徴とする。
【００１６】
第八に、前記外部記録装置は、前記撮像装置から送信された前記画像データ及び前記撮像装置のアドレス情報を受信する第１の受信手段と、前記外部記録装置のアドレス情報を前記撮像装置に送信する第１の送信手段と前記画像データの前記変更情報を受信する第２の受信手段と、該第２の受信手段により受信した前記画像データの変更情報を報知する報知手段とを有することを特徴とする。
【００１７】
第九に、前記画像データの変更とは、前記画像データの消去あるいは修正を表すことを特徴とする。
【００１８】
第十に、前記画像データの変更情報の検出は前記撮像装置から前記外部記録装置への前記画像データの転送時に行なうことを特徴とする。
【００１９】
第十一に、前記画像データの変更情報検出の結果、前記記録媒体内の画像データが変更されていると検出された場合には、前記撮像装置から前記外部記録装置に前記画像データの変更情報を送信することを特徴とする。
【００２０】
第十二に、複数の画像データ送受信モードと該複数の画像データ送受信モードの中から１つを選択可能な選択手段とを有し、前記選択手段により選択された画像データ送受信モードによって前記記録媒体内の画像データの変更情報を検出するタイミングを変更することを特徴とする。
【発明の効果】
【００２１】
第一から至る第三の発明によれば、撮像装置から外部記録装置に転送、記録された画像データを外部記録装置で消去あるいは修正された場合において、外部記録装置における画像データの変更情報を撮像装置に送信することが可能となる。また、外部記録装置から送信された画像データの変更情報を撮像装置で報知することにより撮像装置から外部記録装置に記録された画像データの変更情報を確認することが可能となる。したがって、ユーザーの曖昧な記憶により撮像装置と外部記録装置の両方の画像データを消去あるいは修正してしまうといった誤操作を未然に防ぐことが可能となる。
【００２２】
第四及び第五の発明によれば、撮像装置から外部記録装置への画像データの転送時に外部記録装置に記録された画像データの変更情報を検出し、画像データの変更情報の送受信を行うことにより、通信手段の電源を起こすことなく、画像データの変更情報の送受信を行うことが可能となる。
【００２３】
第六の発明によれば、選択された画像データの送受信モードによって、画像データの変更情報を検出するタイミングを変更することにより、画像データの送受信モードごとに適切なタイミングで画像データの変更情報を検出し、画像データの変更情報の送受信が可能となる。
【００２４】
第七から至る第九の発明によれば、撮像装置から外部記録装置に転送、記録された画像データを撮像装置で消去あるいは修正された場合において、撮像装置における画像データの変更情報を外部記録装置に送信することが可能となる。また、撮像装置から送信された画像データの変更情報を外部記録装置で報知することにより外部記録装置から撮像装置に記録された画像データの変更情報を確認することが可能となる。したがって、ユーザーの曖昧な記憶により撮像装置と外部記録装置の両方の画像データを消去あるいは修正してしまうといった誤操作を未然に防ぐことが可能となる。
【００２５】
第十及び第十一の発明によれば、撮像装置から外部記録装置への画像データの転送時に記録媒体に記録された画像データの変更情報を検出し、画像データの変更情報の送受信を行うことにより、通信手段の電源起こすことなく、画像データの変更情報の送受信を行うことが可能となる。
【００２６】
第十二の発明によれば、選択されたデータの送受信モードによって、画像データの変更情報を検出するタイミングを変更することにより、画像データの送受信モードごとに適切なタイミングで画像データの変更情報を検出し、画像データの変更情報の送受信が可能となる。
【発明を実施するための最良の形態】
【００２７】
本実施例は、撮影した画像データを記録媒体に記録可能なカメラとカメラから送られた画像データを記録可能な外部記録装置とからなる画像管理システムに関するものである。
【００２８】
図１９は、本実施の画像管理システムの概略を示す図である。１０１は撮像装置（デジタルカメラ）１０１、２１９は無線ＬＡＮのアクセスポイント、２２０はサーバ、２２４はサーバ２２０の液晶表示部である。
【００２９】
図１は、本実施の撮像装置（デジタルカメラ）１０１の外観を示す図である。図１において、１０２は撮影レンズ、２０９は画像データを表示するＴＦＴなどの液晶モニタ、２１５はレリーズ釦、２１６は撮影モード切換ダイヤル、２１７は十字キー、２１８は画像送信釦、２２１は選択釦、２２２再生切換釦、２２３は消去釦である。
【００３０】
図２は、本実施の撮像装置（デジタルカメラ）１０１の構成を示すブロック図である。図２において、２１４はシステムコントローラである。撮影モード切換ダイヤル２１６によって静止画撮影モードが選択され、かつレリーズ釦２１５が操作されたとき、対応するキーステート信号をＣＰＵ２１１に与える。すると、ＣＰＵ２１１は、ＣＣＤやＣＭＯＳなどの固体撮像素子２００，ＣＤＳ／ＡＧＣ回路２０１，Ａ／Ｄ変換器２０２，信号処理回路２０３およびサムネイル作成回路２０４を含む撮影系を起動する。
【００３１】
ＣＣＤやＣＭＯＳなどの固体撮像素子２００は、レンズ１０２を経て入射される被写体の光像に光電変換を施して撮像信号（電荷）を生成し、生成した撮像信号をラスタスキャン方式で出力する。出力された撮像信号は、ＣＤＳ／ＡＧＣ回路２０１におけるノイズ除去およびレベル調整を経て、Ａ／Ｄ変換器２０２で撮像データ（ディジタル信号）に変換される。信号処理回路２０３は、撮像データに色分離処理やＹＵＶ変換などの信号処理を施して、輝度データおよび２種類の色差データからなる画像データ（主画像データ）を作成する。作成された主画像データは、バス２０５を経由してメモリ制御回路２０６に与えられ、メモリ制御回路２０６によってＳＤＲＡＭ２０７の主画像格納エリア２０７ａに格納される。
【００３２】
信号処理回路２０３によって作成された主画像データはまた、サムネイル作成回路２０４に与えられる。サムネイル作成回路２０４は、与えられた主画像データに間引き処理を施してサムネイル画像データを作成し、作成されたサムネイル画像データをバス２０５を通してメモリ制御回路２０６に与える。サムネイル画像データは、メモリ制御回路２０６によってサムネイル画像格納エリア２０７ｂに格納される。
【００３３】
ＣＰＵ２１１は、主画像データおよびサムネイル画像データがＳＤＲＡＭ２０７に格納された時点で撮影系を不能化し、代わりに画像圧縮伸長回路２１０に主画像圧縮命令およびサムネイル圧縮命令を与える。まず主画像圧縮命令が出力され、画像圧縮伸長回路２１０は、主画像格納エリア２０７ａに格納された主画像データをメモリ制御回路２０６を通して読み出し、ＪＰＥＧフォーマットに準じた画像圧縮を実行する。この圧縮処理によって生成された圧縮主画像データは、メモリ制御回路２０６を通してＳＤＲＡＭ２０７の圧縮主画像格納エリア２０７ｃに格納される。続いてサムネイル圧縮命令が出力されると、画像圧縮伸長回路２１０は、圧縮サムネイル画像格納エリア２０７ｄに格納されたサムネイル画像データをメモリ制御回路２０６を通して読み出し、上述と同様のＪＰＥＧ圧縮を施す。これによって生成された圧縮サムネイル画像データは、メモリ制御回路２０６を通してＳＤＲＡＭ２０７の圧縮サムネイル画像格納エリア２０７ｄに格納される。
【００３４】
このようにして圧縮主画像データおよび圧縮サムネイル画像データが得られると、ＣＰＵ２１１は、これらの圧縮データをメモリ制御回路２０６を通して読み出し、静止画ファイルとしてメモリ２１２に記録する。ここで、圧縮サムネイル画像データは画像ファイルのインデックス情報として機能する。
【００３５】
また、図２０に示すようにメモリ２１２及びサーバ２２０の格納領域内は画像ファイルを格納するエリアと画像ファイルの変更情報を格納する変更履歴格納エリアとで構成される。格納された画像ファイルのヘッダ部には、ファイル名，撮影日付，撮影条件，撮影した撮像装置（デジタルカメラ）１０１のＩＰアドレス，画像ファイルの複製の有無を示す複製フラグ（初期値００），画像ファイルの変更の有無を示す変更フラグ（初期値００），ＪＰＥＧファイルであることを示す拡張子が付される。
【００３６】
なお、メモリ２１２は撮像装置（デジタルカメラ）１０１に着脱自在あるいは内蔵された不揮発性の記録媒体であり、実際にはインタフェースを介してバス２０５と接続される。
【００３７】
ここで、メモリ２１２内に格納された画像ファイルのバックアップを作成したい場合は、撮影者は撮影モード切換ダイヤル２１６を転送モードに設定するか、図４に示す画像ファイル選択画面で送信したい画像ファイルを所定のキー操作で選択後、画像送信釦２１８を操作する。図４において、送信用画像ファイルの選択方法を説明する。撮影モード切換ダイヤル２１６を再生モードに設定すると、図４に示すインデックス表示で画像ファイルが表示される。選択カーソル４０１を十字キー２１７の操作で上下左右に移動させて送信したい画像に合わせ、選択釦２２１を操作する。送信用画像ファイルとして選択された画像には４０２で示される送信マークを表示する。この状態で画像送信釦２１８を操作すると、サーバ２２０への接続動作を開始する。
【００３８】
撮影モード切換ダイヤル２１６を転送モードに設定するか、画像送信釦２１８の操作により、無線ＬＡＮ通信回路２１３を使用してアクセスポイント２１９に接続を開始する。接続が確立されると、アクセスポイント２１９を経由してデータベースサーバ（外部記憶装置）２２０と接続される。このようにしてサーバ２２０へのアクセスが可能となると、画像ファイルがサーバ２２０に送信される。なお、全ての送信用画像ファイルのサーバ２２０への転送・保存が完了した後もメモリ２１２に格納された全ての画像ファイル（主画像データ及び圧縮サムネイル画像データを含む）は消去しないで格納したままにしておく。
【００３９】
次に、全ての送信用画像ファイルのサーバ２２０への転送・保存が完了すると、サーバ２２０はアクセスポイント２１９に接続を開始する。接続が開始されると、アクセスポイント２１９を経由して撮像装置（デジタルカメラ）１０１と接続される。撮像装置（デジタルカメラ）１０１へのアクセスが可能となると、サーバ２２０は撮像装置（デジタルカメラ）１０１から転送・保存の完了した画像ファイルのファイル名及びサーバ２２０のＩＰアドレスを含む格納先情報を撮像装置（デジタルカメラ）１０１に送信する。格納先情報の送信が完了すると、メモリ２１２内に格納された同じファイル名の画像ファイルのヘッダ部にサーバ２２０のＩＰアドレスを書き込むと共に複製フラグを変更する。
【００４０】
ＣＰＵ２１１は、画像ファイルをサーバ２２０に送信するとき、具体的には図５〜図１０及び図１４，図１５に示すフロー図に従って処理をする。ここで、図５は操作部材入力タスク、図６は画像送信タスク、図７，図９は画像送信処理タスク、図８，図１５は画像ファイルのヘッダ部への書き込み処理タスク、図１４は画像変更情報表示処理タスクを示す。
【００４１】
まず図５を参照して、撮影者がレリーズ釦２１５，撮影モード切換ダイヤル２１６，十字キー２１７，画像送信釦２１８，選択釦２２１，再生切換釦２２２，消去釦２２３のいずれかを操作すると、ステップＳ５０１のスリープ状態から復帰し、ステップＳ５０２でいずれの操作部材が操作されたかを判別する。ここで、操作された操作部材が撮影モード切換ダイヤル２１６であれば、ステップＳ５０２からステップＳ５０３に進み、撮影モードが画像転送モードに設定されたか否かを判別する。撮影モードが画像転送モードに設定された場合は、ステップＳ５０４に進み、レリーズ釦２１５がＯＮされたかを判別する。レリーズ釦２１５がＯＮされている場合は送受信タスク起動信号を発生する。一方、ステップＳ５０４でレリーズ釦がＯＮされていない場合には、再びステップＳ５０４に戻る。また、ステップＳ５０３で撮影モードが画像転送モード以外に設定された場合には、ステップＳ５０６に進む。また、ステップＳ５０２において、操作された操作部材がレリーズ釦２１５，十字キー２１７，画像送信釦２１８，選択釦２２１，再生切換釦２２２または消去釦２２３であれば、ステップＳ５０２からステップＳ５０６に進み、画像送信釦２１８がＯＮされたか否かを判別する。画像送信釦がＯＮされた場合は、ステップＳ５０５に進み、送信タスク起動信号を発生する。画像送信釦がＯＮされていない場合にはステップＳ５０７に進み、その他の処理を行なう。ステップＳ５０５またはステップＳ５０７の処理が完了すると、ＣＰＵ２１１はステップＳ５０１に戻る。
【００４２】
ステップＳ５０５で送信タスク起動信号が発生すると、ＣＰＵ２１１は、図６に示す画像送信タスクをステップＳ６０１のスリープ状態から復帰させる。そして、ステップＳ６０２に進み無線ＬＡＮ回路２１３を起動し、アクセスポイント２１９を経由してサーバ２２０に接続する。（Ｓ６０３）
サーバ２２０との接続が確立すると、画像転送モードを選択した場合は全ての撮影した画像ファイルの送信処理を、画像送信釦２１８を操作した場合には送信画像選択画面（図４）で選択された画像ファイルの送信処理を実行する（Ｓ６０４）。送信処理（Ｓ６０４）が完了すると、撮像装置（デジタルカメラ）１０１はサーバ２２０との接続を解除する(Ｓ６０５)。
【実施例１】
【００４３】
ステップＳ６０４において、ＣＰＵ２１１は、図７に示すサブルーチンを処理する。まず、ステップＳ７０１において、送信用画像ファイル（メモリ２１２に格納された画像ファイルのうち送信用の画像ファイル）の総データ量を算出する。次に、ステップＳ７０２でサーバ２２０の空き容量情報の送信をサーバ２２０に要求し、ステップＳ７０３で空き容量情報をサーバ２２０から受信する。ステップＳ７０４では、総データ量および空き容量を互いに比較し、総データ量＞空き容量であればステップＳ７０５で容量不足情報を撮像装置（デジタルカメラ）１０１に送信する。ステップＳ７０６で撮像装置（デジタルカメラ）１０１は容量不足情報を受信し、図１１に示すように液晶表示部２０９にサーバ２２０の空き容量が不足している旨を知らせるメッセージを表示するとともに、送信用画像ファイルを再選択するか否かを確認するメッセージを表示する。
【００４４】
送信用画像を再選択するか否かの確認画面（図１１）において、ステップＳ７１６で撮影者が十字キー２１７及び選択釦２２１の操作によって“ＹＥＳ”を選択すると、ＣＰＵ２１１はステップＳ７１６からステップＳ７１７に進み、画像ファイルの再選択画面を液晶表示部２０９に表示する。次に、ステップＳ７１８で画像送信釦２１８がＯＮしたか否かを判別し、画像送信釦２１８がＯＮされていれば画像ファイルの再選択が完了したものと判断し、ステップＳ７０１に戻る。画像選択釦２１８がＯＮされていなければ、ステップＳ７１７に戻り画像ファイルの再選択を行なう。
【００４５】
一方、送信用画像を再選択するか否かの確認画面（図１１）において、ステップＳ７１６で撮影者が十字キー２１７及び選択釦２２１の操作によって“ＮＯ”を選択すると、送信処理タスクを終える。次に、図６に示す画像送受信タスクに復帰し、ステップＳ６０５でＣＰＵ２１１はサーバ２２０との接続を解除する。
【００４６】
一方、ステップＳ７０４で総データ量≦空き容量と判断されると、ステップＳ７０７に進み、画像転送モードに設定されている場合は撮影後メモリ２１２に記録された全ての画像を、画像送信釦２１８をＯＮした場合には、メモリ２１２に記録された画像ファイルのうち送信用に選択された画像ファイルと撮像装置（デジタルカメラ）１０１のＩＰアドレスをサーバ２２０に送信する。具体的には、まず、画像ファイルのヘッダ部に撮像装置（デジタルカメラ）１０１のＩＰアドレスを書き込み、書き込みが完了した画像ファイルを圧縮主画像格納エリア２０７ｂに格納し、その後無線ＬＡＮ回路２１３を通してサーバ２２０に転送する。転送処理が完了すると、ステップＳ７０８で転送された画像ファイルのサーバ２２０での保存が完了したかを確認する。転送された画像ファイルのサーバ２２０での保存が完了した場合は、ステップＳ７０９に進み、サーバ２２０は画像ファイルの保存されたサーバ２２０のＩＰアドレスと画像ファイル名からなる格納先情報を画像ファイルのヘッダ部に書き込まれたＩＰアドレスを有する撮像装置（デジタルカメラ）１０１に送信する。
【００４７】
撮像装置（デジタルカメラ）１０１はステップＳ７１０で送信された格納先情報を受信し、メモリ２１２に格納された画像ファイルのヘッダ部の書き込み処理を行う。
【００４８】
ステップＳ７１０において、ＣＰＵ２１１は図８に示すヘッダ部の書き込み処理を実行する。
【００４９】
まず、ステップＳ８０１で撮像装置（デジタルカメラ）１０１は格納先情報を受信する。ステップＳ８０２でメモリ２１２に格納された画像ファイルの中に格納先情報の画像ファイル名と同名の画像ファイルが存在するか検索する。ステップＳ８０３でメモリ２１２内に同名の画像ファイルが存在する場合には、ステップＳ８０４に進み、メモリ２１２に格納された同名の画像ファイルのヘッダ部に画像ファイルの格納先情報を書き込むと共に複製フラグを００から０１に変更する。書き込み完了後、ヘッダ書き込み処理タスクを終える。一方、ステップＳ８０３でメモリ２１２内に同名の画像ファイルが存在しない場合はヘッダ書き込み処理タスクを終える。
【００５０】
図３はメモリ２１２内に格納された画像ファイルを液晶表示部２０９に表示した状態を示す図である。撮影モードダイヤル（ＳＷ）２１６を再生モードに設定することで、メモリ２１２内に格納された画像ファイルを液晶表示部２０９に表示する。図３（ａ）はインデックス表示の状態を示しており、メモリ２１２内から圧縮サムネイル画像を呼び出して液晶表示部２０９に複数の画像データを表示する。各画像ファイルのヘッダ部の複製フラグが０１の場合にはコピー画像ファイルの存在を示すアイコン３０１を圧縮サムネイル画像上に表示する。また、図３（ｂ）は一枚画像表示の状態を示しており、メモリ２１２内から主画像ファイルを呼び出して液晶表示部２０９に画像ファイルを表示する。各画像ファイルのヘッダ部に書き込まれた情報３０２をスルー表示で画像上に表示する。インデックス表示と一枚画像表示は再生切換釦２２２の操作により切り替えることが可能である。
【００５１】
次に、メモリ２１２及びサーバ２２０に格納された画像ファイルの消去または修正時の処理について図１２及び図１３で説明する。
【００５２】
＜画像ファイルの消去時の処理＞
図１２（ａ）は撮像装置（デジタルカメラ）１０１における画像消去処理タスクを示す。ステップＳ１２０１ａにおいて撮影モードが再生モードに設定されているか判別する。再生モードに設定されていない場合は画像消去処理タスクを終える。一方、再生モードに設定されている場合には、ステップＳ１２０２ａに進み、画像が選択されているかを判別する。画像が１枚も選択されていない場合は、画像消去処理タスクを終える。一方、画像が１枚でも選択されている場合には、ステップＳ１２０３ａに進み、消去釦２２３がＯＮされたか否かを判別する。ステップＳ１２０３ａで消去釦２２３がＯＮされていない場合は画像消去処理タスクを終える。ステップＳ１２０３ａで消去釦２２３がＯＮされている場合には、図１０（ａ）に示すようにメモリ２１２内に格納された画像ファイルを消去するか否かを確認するメッセージを表示する。ステップＳ１２０４ａで所定のキー操作でＹＥＳを選択した場合には、ステップＳ１２０５ａ、Ｓ１２０６ａにおいてメモリ２１２内の選択された画像ファイルを消去すると共に、変更履歴格納エリアに消去された画像ファイル名と消去された時間及び変更フラグ０１を書き込む。一方、ステップＳ１２０４ａでＮＯを選択した場合には、画像消去処理タスクを終える。
【００５３】
一連の処理を終えると図５のステップＳ５０１に戻り、撮像装置（デジタルカメラ）１０１をスリープ状態にして待機する。
【００５４】
図１２（ｂ）はサーバ２２０における画像消去処理タスクを示す。ステップＳ１２０１ｂにおいてサーバ２２０内に格納された画像ファイルが選択されているか否かを判別する。画像が１枚も選択されていない場合は、画像消去処理タスクを終える。一方、画像が１枚でも選択されている場合には、ステップＳ１２０２ｂに進み、消去命令が出されているかを判別する。ステップＳ１２０２ｂで消去命令が出されていない場合は、画像消去処理タスクを終える。一方、ステップＳ１２０２ｂで消去命令が出されている場合には、ステップＳ１２０３ｂ、Ｓ１２０４ｂにおいてサーバ２２０内に格納された画像ファイルを消去すると共に画像ファイルの変更履歴格納エリアに画像ファイル名と消去された時間及び変更フラグ０１を書き込む。その後画像消去処理タスクを終える。
【００５５】
一連の処理を終えると、サーバ２２０はサーバ２２０のＣＰＵ（不図示）からの信号待機状態に戻る。
【００５６】
なお、画像転送システムが複数の撮像装置（デジタルカメラ）とサーバから構成されている場合には、サーバはファイルの格納エリア内に図２０に示すような各撮像装置（デジタルカメラ）ごとにグループ分けされた変更履歴格納エリアを作成する。
【００５７】
＜画像ファイル修正時の処理＞
図１３（ａ）は撮像装置（デジタルカメラ）１０１における画像修正処理タスクを示す。ステップＳ１３０１ａにおいて撮影モードが再生モードに設定されているかを判別する。再生モードに設定されていない場合は、画像修正処理タスクを終える。一方、再生モードに設定されている場合には、ステップＳ１３０２ａに進み、画像が選択されているかを判別する。画像が１枚も選択されていない場合は、画像修正処理タスクを終える。一方、画像が１枚でも選択されている場合には、ステップＳ１３０３ａに進み、画像パラメータ変更指示が出されたかを判別する。ステップＳ１３０３ａで画像パラメータ変更指示が出ていない場合は画像修正処理タスクを終える。一方、ステップＳ１３０３ａで画像パラメータ変更指示が出ている場合には、図１０（ｂ）に示すように、液晶表示部２０９にメモリ２１２内に格納された画像ファイルのパラメータを変更するかを確認するメッセージを表示する。ステップＳ１３０３ａで所定のキー操作でＹＥＳを選択した場合には、ステップＳ１３０４ａに進み、変更履歴格納エリアに修正された画像ファイル名と修正された時間を書き込み、ステップＳ１３０５ａで画像ファイルのヘッダ部の変更フラグを００から１１に変更する（初期値は００）。一方、ステップＳ１３０３ａでＮＯを選択した場合には、画像修正処理タスクを終える。
【００５８】
一連の処理を終えると図５のステップＳ５０１に戻り、撮像装置（デジタルカメラ）１０１をスリープ状態にして待機する。
【００５９】
図１３（ｂ）はサーバ２２０における画像修正処理タスクを示す。ステップＳ１３０１ｂにおいてサーバ２２０内に格納された画像ファイルが選択されているか否かを判別する。画像が１枚も選択されていない場合は、画像修正処理タスクを終える。一方、画像が１枚でも選択されている場合には、ステップＳ１３０２ｂに進み、画像パラメータ変更指示が出されたかを判別する。ステップＳ１３０２ｂにおいてサーバ２２０内に格納された画像ファイルのパラメータを変更するか否かを確認する。ステップＳ１３０２ｂで画像パラメータ変更指示が出ていない場合は画像修正処理タスクを終える。一方、ステップＳ１３０２ｂで画像パラメータ変更指示が出ている場合には、液晶表示部２０９にサーバ２２０内に格納された画像ファイルのパラメータを変更するかを確認するメッセージを表示する。ステップＳ１３０２ｂで所定のキー操作でＹＥＳを選択した場合には、ステップＳ１３０３ｂに進み、変更履歴格納エリアに修正された画像ファイル名と修正された時間を書き込み、ステップＳ１３０４ｂで画像ファイルのヘッダ部の変更フラグを００から１１に変更する（初期値は００）。一方、ステップＳ１３０２ｂでＮＯを選択した場合には、画像修正処理タスクを終える。
【００６０】
一連の処理を終えると、サーバ２２０はサーバ２２０のＣＰＵ（不図示）からの信号待機状態に戻る。
【００６１】
図８においてヘッダ部の書き換え処理が完了すると、図７に示す送信処理タスクに復帰し、ステップＳ７１１でサーバ２２０及びメモリ２１２内に格納された全ての画像ファイルのヘッダと変更履歴格納エリアの変更フラグを検索する。サーバ２２０及びメモリ２１２内に格納された全ての画像ファイルのヘッダと変更履歴格納エリアの中で変更フラグが立っていない場合（全ての変更フラグが００の場合）には送信処理タスクを終える。次に、図６に示す画像送受信タスクに復帰し、ステップＳ６０５でＣＰＵ２１１はサーバ２２０との接続を解除する。
【００６２】
一方、ステップＳ７１１において、サーバ２２０及びメモリ２１２内に格納された画像ファイルのヘッダと変更履歴格納エリアの中で一つでも変更フラグが立っている場合（変更フラグ０１または１１のファイルがある場合）には、ステップＳ７１２に進み、変更フラグが立っている（変更フラグが０１または１１の）全ての画像ファイルのヘッダと変更履歴格納エリアの複製フラグを検索する。サーバ２２０及びメモリ２１２内に格納された全ての画像ファイルのヘッダと変更履歴格納エリアの複製フラグが０１でない場合（複製フラグが００または１１の場合）は送信処理タスクを終える。次に、図６に示す画像送受信タスクに復帰し、ステップＳ６０５でＣＰＵ２１１はサーバ２２０との接続を解除する。一方、ステップＳ７１２において、サーバ２２０内に格納された変更フラグが１１の画像ファイルと変更履歴格納エリアの変更フラグ０１の画像ファイルの中に複製フラグが０１の画像ファイルが一つでもある場合には、ステップＳ７１３に進み、複製フラグが０１の画像ファイルの変更情報（画像ファイル名・変更フラグ・変更時間・撮像装置のＩＰアドレス）を画像ファイルのヘッダ部に書き込まれたＩＰアドレスを有する撮像装置（デジタルカメラ）１０１に送信する。
【００６３】
また、ステップＳ７１２において、メモリ２１２内に格納された変更フラグが１１の画像ファイルと変更履歴格納エリアの中の変更フラグが０１の画像ファイルの中に複製フラグが０１の画像ファイルが一つでもある場合には、ステップＳ７１３に進み、複製フラグが０１の画像ファイルの変更情報（画像ファイル名・変更フラグ・変更時間）を画像ファイルのヘッダ部に書き込まれたＩＰアドレスを有するサーバ２２０に送信する。
【００６４】
画像ファイルの変更情報の送信が完了すると、ステップＳ７１４において画像ファイルの変更情報表示処理タスクを行う。
【００６５】
サーバ２２０から撮像装置（デジタルカメラ）１０１に画像ファイルの変更情報が送信された場合は、図１４に示す画像ファイルの変更情報表示処理を撮像装置（デジタルカメラ）１０１で実行する。
【００６６】
ステップＳ１４０１で撮像装置（デジタルカメラ）１０１はサーバ２２０から送信された画像ファイルの変更情報をアクセスポイント２１９を介して無線ＬＡＮ回路２１３で受信する。次に、ステップＳ１４０２でメモリ２１２内に格納された画像ファイルの中に受信した変更情報の画像ファイル名と同名の画像ファイルが存在するかを検索する。ステップＳ１４０３において、メモリ２１２内に格納された画像ファイルの中に同名の画像ファイルが存在しない場合には、ステップＳ１４０８に進む。ステップＳ１４０８において、変更情報内の撮像装置（デジタルカメラ）のＩＰアドレスと変更情報を受信した撮像装置（デジタルカメラ）のＩＰアドレスを比較し、ＩＰアドレスが一致している場合は、ステップＳ１４０９に進み液晶表示部２０９にメモリ２１２内のオリジナルの画像ファイルが消去されている旨のメッセージを表示し、変更情報表示処理タスクを終える。
【００６７】
また、ステップＳ１４０８において、変更情報内の撮像装置（デジタルカメラ）のＩＰアドレスと変更情報を受信した撮像装置（デジタルカメラ）のＩＰアドレスを比較し、ＩＰアドレスが一致していない場合は、ステップＳ１４１０に進み、撮像装置（デジタルカメラ）からメモリが外されれた旨のメッセージを表示し、変更情報表示処理タスクを終了する。
【００６８】
一方、ステップＳ１４０３において、メモリ２１２内に格納された画像ファイルの中に同名の画像ファイルが存在する場合には、ステップＳ１４０４に進む。
【００６９】
次に、ステップＳ１４０４でＣＰＵ２１１は受信した変更情報内の全ての変更フラグが０１か否かを判別する。変更情報の中に変更フラグが０１の画像ファイルが存在する場合は、ステップＳ１４０５に進み、図１８（ａ）に示すように、サーバ２２０内に格納された画像ファイルが消去されたメッセージを液晶表示部２０９に表示する。メッセージ表示後、ステップＳ１４０４に戻る。一方、変更情報の中に変更フラグが０１の画像ファイルが存在しない（変更フラグが００または１１の）場合は、ステップＳ１４０６に進み、変更情報の中に変更フラグが１１の画像ファイルが存在するか否かを判別する。変更情報の中に変更フラグが１１の画像ファイルが存在する場合は、ステップＳ１４０７に進み、図１８（ｂ）に示すように、サーバ２２０内に格納された画像ファイルが修正されたメッセージを液晶表示部２０９に表示し、変更情報表示処理タスクを終了する。一方、ステップＳ１４０６で変更フラグが１１の画像ファイルが存在しない（変更フラグが００の）場合には、サーバ２２０内に格納された画像ファイルの中には変更された画像ファイルが存在しないものと判断し、変更情報表示処理タスクを終了する。
【００７０】
一連の処理を終えると、図７に示す送信処理タスクに復帰し、ステップＳ７１５で変更情報の送信が完了したサーバ２２０内の画像ファイルのヘッダ部及び変更履歴格納エリアの複製フラグを０１から１１に変更し、送信処理タスクを終える。次に、図６に示す画像送受信タスクに復帰し、ステップＳ６０５でＣＰＵ２１１はサーバ２２０との接続を解除する。
【００７１】
また、撮像装置（デジタルカメラ）１０１からサーバ２２０に画像ファイルの変更情報が送信された場合は、図１５に示す画像ファイルの変更情報表示処理をサーバ２２０で実行する。
【００７２】
ステップＳ１５０１でサーバ２２０は撮像装置（デジタルカメラ）１０１から送信された画像ファイル変更情報をアクセスポイント２１９を介して不図示の無線ＬＡＮ回路で受信する。次に、ステップＳ１５０２でサーバ２２０内に格納された画像ファイルの中に受信した変更情報の画像ファイル名と同名の画像ファイルが存在するか否かを検索する。ステップＳ１５０３において、サーバ２２０内に格納された画像ファイルの中に同名の画像ファイルが存在しない場合は、ステップＳ１５０８に進み、液晶表示部２２４にサーバ２２０内のバックアップ画像ファイルが消去されている旨のメッセージを表示し、変更情報表示処理タスクを終える。一方、ステップＳ１５０３において、サーバ２２０内に格納された画像ファイルの中に同名の画像ファイルが存在する場合には、ステップＳ１５０４に進む。
【００７３】
次に、ステップＳ１５０４で受信した変更情報内の全ての変更フラグが０１か否かを判別する。変更情報の中に変更フラグが０１の画像ファイルが存在する場合は、ステップＳ１５０５に進み、図１８（ａ）に示すように、メモリ２１２内に格納された画像ファイルが消去されたメッセージをサーバ２２０の液晶表示部２２４に表示する。メッセージ表示後、ステップＳ１５０４に戻る。一方、ステップＳ１５０４において変更フラグが０１の画像ファイルのが存在しない場合は、ステップＳ１５０６に進み変更フラグが１１の画像ファイルが存在するか否かを判別する。変更フラグが１１の画像ファイルが存在する場合は、ステップＳ１５０７に進み、図１８（ｂ）に示すように、メモリ２１２内に格納されたオリジナル画像ファイルが修正されたメッセージをサーバ２２０の液晶表示部２２４に表示し、サーバの変更情報表示処理タスクを終了する。一方、ステップＳ１５０６で変更フラグが１１の画像ファイルが存在しない（変更フラグが００の）場合は、メモリ２１２内に格納されたオリジナル画像ファイルの中には変更された画像ファイルが存在しないものと判断し、変更情報表示処理タスクを終了する。
【００７４】
一連の処理を終えると、図７に示す送信処理タスクに復帰し、ステップＳ７１５で変更情報の送信が完了したメモリ２１２内の画像ファイルのヘッダ部及び変更履歴格納エリアの複製フラグを０１から１１に変更し、送信処理タスクを終える。次に、図６に示す画像送受信タスクに復帰し、ステップＳ６０５でＣＰＵ２１１はサーバ２２０との接続を解除する。
【実施例２】
【００７５】
ステップＳ６０４において、ＣＰＵ２１１は図９に示すサブルーチンを処理する。まずステップＳ９０１で送信用画像ファイル（メモリ２１２に格納された画像ファイルのうち送信用に選択されたファイル）の総データ量を算出する。次に、ステップＳ９０２でサーバ２２０の空き容量情報の送信をサーバ２２０に要求し、ステップＳ９０３で空き容量情報をサーバ２２０から受信する。ステップＳ９０４では、総データ量および空き容量を互いに比較し、総データ量＞空き容量であればステップＳ９０５で容量不足情報を撮像装置（デジタルカメラ）１０１に送信する。ステップＳ９０６で撮像装置（デジタルカメラ）１０１は容量不足情報を受信し、図１１に示すように液晶表示部２０９にサーバ２２０の空き容量が不足している旨を知らせるメッセージを表示するとともに、送信用画像ファイルを再選択するか否かを確認するメッセージを表示する。
【００７６】
送信用画像を再選択するか否かの確認画面（図１１）において、ステップＳ９１６で撮影者が十字キー２１７及び選択釦２１９の操作によって“ＹＥＳ”を選択すると、ＣＰＵ２１１は、ステップＳ９１６からステップＳ９１７に進み、画像ファイルの再選択画面を液晶表示部２０９に表示する。次に、ステップＳ９１８で画像送信釦２１８がＯＮしたかを判別し、画像送信釦２１８がＯＮされていれば画像ファイルの再選択が完了したものと判断し、ステップＳ９０１に戻る。画像選択釦２１８がＯＮされていなければ、ステップＳ９１７に戻り画像ファイルの再選択を行なう。
【００７７】
一方、撮影者がステップＳ９１６において十字キー２１７及び選択釦２２１の操作によって“ＮＯ”を選択すると、送信処理タスクを終える。次に、図６に示す画像送受信タスクに復帰し、ステップＳ６０５でＣＰＵ２１１はサーバ２２０との接続を解除する。
【００７８】
一方、ステップＳ９０４で総データ量≦空き容量と判断されると、ステップＳ９０７に進み、画像転送モードに設定されている場合は撮影後メモリ２１２に記録された全ての画像を、画像送信釦２１８をＯＮした場合には、メモリ２１２に記録された画像ファイルのうち送信用に選択された画像ファイルをサーバ２２０に送信する。具体的には、まず全ての画像ファイルを圧縮主画像格納エリア２０７ｂに格納し、その後無線ＬＡＮ回路２１３を通してサーバ２２０に転送する。転送処理が完了すると、ステップＳ９０８で転送された画像ファイルのサーバ２２０での保存が完了したかを確認する。転送された画像ファイルのサーバ２２０での保存が完了した場合は、ステップＳ９０９に進み、画像ファイルの保存されたサーバ２２０のＩＰアドレスと画像ファイル名からなる格納先情報を画像ファイルのヘッダ部に書き込まれたＩＰアドレスを有する撮像装置（デジタルカメラ）１０１に送信する。
【００７９】
撮像装置（デジタルカメラ）１０１はステップＳ９１０送信された格納先情報を受信し、メモリ２１２に格納された画像ファイルのヘッダ部の書き込み処理を行う。
【００８０】
ステップＳ９１０において、ＣＰＵ２１１は図８に示すヘッダ部の書き込み処理を実行する。
【００８１】
まず、ステップＳ８０１で撮像装置（デジタルカメラ）１０１は格納先情報を受信する。ステップＳ８０２でメモリ２１２に格納された画像ファイルの中に格納先情報の中の画像ファイルと同名の画像ファイルが存在するかを検索する。ステップＳ８０３でメモリ２１２内に同名の画像ファイルが存在する場合には、ステップＳ８０４に進み、メモリ２１２に格納された同名の画像ファイルのヘッダ部に画像ファイルの格納先情報を書き込む共に複製フラグを００から０１に変更する。書き込み完了後、ヘッダ書き込み処理タスクを終える。一方、ステップＳ８０３でメモリ２１２内に同名の画像ファイルが存在しない場合はヘッダ書き込み処理タスクを終える。
【００８２】
図８においてヘッダ部の書き換え処理が完了すると、図９に示す送信処理タスクに復帰し、ステップＳ９１１でサーバ２２０及びメモリ２１２内に格納された全ての画像ファイルのヘッダと変更履歴格納エリアの変更フラグを検索する。サーバ２２０及びメモリ２１２内に格納された全ての画像ファイルのヘッダと変更履歴格納エリアの中で変更フラグが立っていない場合（全ての変更フラグが００の場合）には送信処理タスクを終える。次に、図６に示す画像送受信タスクに復帰し、ステップＳ６０５でＣＰＵ２１１はサーバ２２０との接続を解除する。
【００８３】
一方、ステップＳ９１１において、サーバ２２０及びメモリ２１２内に格納された画像ファイルのヘッダと変更履歴格納エリアの中で一つでも変更フラグが立っている場合（変更フラグ０１または１１のファイルがある場合）には、ステップＳ９１２に進み、変更フラグが立っている（変更フラグが０１または１１の）全ての画像ファイルのヘッダと変更履歴格納エリアの複製フラグを検索する。サーバ２２０及びメモリ２１２内に格納された全ての画像ファイルのヘッダと変更履歴格納エリアの複製フラグが０１でない場合（複製フラグが００または１１の場合）は送信処理タスクを終える。次に、図６に示す画像送受信タスクに復帰し、ステップＳ６０５でＣＰＵ２１１はサーバ２２０との接続を解除する。一方、ステップＳ９１２において、サーバ２２０内に格納された変更フラグが１１の画像ファイルと変更履歴格納エリアの変更フラグ０１の画像ファイルの中に複製フラグが０１の画像ファイルが一つでもある場合には、ステップＳ９１３に進み、複製フラグが０１の画像ファイルの変更情報（画像ファイル名・変更フラグ・変更時間・撮像装置のＩＰアドレス）を画像ファイルのヘッダ部に書き込まれたＩＰアドレスを有する撮像装置（デジタルカメラ）１０１に送信する。
【００８４】
また、ステップＳ９１２において、メモリ２１２内に格納された変更フラグが１１の画像ファイルと変更履歴格納エリアの中の変更フラグが０１の画像ファイルの中に複製フラグが０１の画像ファイルが一つでもある場合には、ステップＳ９１３に進み、複製フラグが０１の画像ファイルの変更情報（画像ファイル名・変更フラグ・変更時間）を画像ファイルのヘッダ部に書き込まれたＩＰアドレスを有するサーバ２２０に送信する。
【００８５】
画像ファイルの変更情報の送信が完了すると、ステップＳ９１４において画像ファイルのヘッダ書き込み処理タスク２を行う。
【００８６】
サーバ２２０から撮像装置（デジタルカメラ）１０１に画像ファイルの変更情報が送信された場合は、図１６に示す画像ファイルのヘッダ書き込み処理２を撮像装置（デジタルカメラ）１０１で実行する。
【００８７】
ステップＳ１６０１で撮像装置（デジタルカメラ）１０１はサーバ２２０から送信された画像ファイルの変更情報をアクセスポイント２１９を介して無線ＬＡＮ回路２１３で受信する。次に、ステップＳ１６０２でメモリ２１２内に格納された画像ファイルの中に受信した変更情報の画像ファイル名と同名の画像ファイルが存在するか否かを検索する。ステップＳ１６０３において、メモリ２１２内に格納された画像ファイルの中に同名の画像ファイルが存在しない場合には、ステップＳ１６０８に進む。ステップＳ１６０８において、変更情報内の撮像装置（デジタルカメラ）のＩＰアドレスと変更情報を受信した撮像装置（デジタルカメラ）のＩＰアドレスを比較し、ＩＰアドレスが一致している場合は、ステップＳ１６０９に進み液晶表示部２０９にメモリ２１２内のオリジナルの画像ファイルが消去されている旨のメッセージを表示し、ヘッダ書き込み処理タスク２を終了する。
【００８８】
また、ステップＳ１６０８において、変更情報内の撮像装置（デジタルカメラ）のＩＰアドレスと変更情報を受信した撮像装置（デジタルカメラ）のＩＰアドレスが一致していない場合には、ステップＳ１６１０に進み、撮像装置（デジタルカメラ）からメモリが外された旨のメッセージを表示し、ヘッダ書き込み処理タスク２を終了する。
【００８９】
一方、ステップＳ１６０３において、メモリ２１２内に格納された画像ファイルの中に同名の画像ファイルが存在する場合には、ステップＳ１６０４に進む。
【００９０】
次に、ステップＳ１６０４でＣＰＵ２１１は受信した変更情報の全ての変更フラグが０１か否かを判別する。変更情報の中に変更フラグが０１の画像ファイルが存在する場合は、ステップＳ１６０５に進み、メモリ２１２内の同名の画像ファイルのヘッダ部にサーバ２２０内のバックアップ画像ファイルが消去された情報を書き込む。書き込み終了後、ステップＳ１６０４に戻る。一方、変更情報の中に変更フラグが０１の画像ファイルが存在しない（変更フラグが００または１１の）場合には、ステップＳ１６０６に進み、変更フラグが１１の画像ファイルが存在するか否かを判別する。判別の結果、変更情報の中に変更フラグが１１の画像ファイルが存在しない場合には、画像ファイルのヘッダ書き換え処理タスク２を終了する。一方、変更フラグが１１の画像ファイルが存在する場合には、ステップＳ１６０７に進み、メモリ２１２内の同名の画像ファイルのヘッダ部にサーバ２２０内のバックアップ画像ファイルが修正された情報を書き込み、画像ファイルのヘッダ書き込み処理タスク２を終了する。
【００９１】
また、撮像装置（デジタルカメラ）１０１からサーバ２２０に画像ファイルの変更情報が送信された場合は、図１７に示す画像ファイルのヘッダ書き込み処理２をサーバ２２０で実行する。
【００９２】
ステップＳ１７０１でサーバ２２０は撮像装置（デジタルカメラ）１０１から送信された画像ファイルの変更情報をアクセスポイント２１９を介して不図示の無線ＬＡＮ回路で受信する。次に、ステップＳ１７０２でサーバ２２０内に格納された画像ファイルの中に受信した変更情報の画像ファイル名と同名の画像ファイルが存在するか否かを検索する。ステップＳ１７０３において、サーバ２２０内に格納された画像ファイルの中に同名の画像ファイルが存在しない場合には、ステップＳ１７０８に進み、液晶表示部２２４にサーバ２２０内のバックアップ画像ファイルが消去されている旨のメッセージを表示し、画像ファイルのヘッダ書き換え処理２タスクを終える。一方、ステップＳ１７０３において、サ−バ２２０内に格納された画像ファイルの中に同名の画像ファイルが存在する場合には、ステップＳ１７０４に進む。
【００９３】
次に、ステップＳ１７０４でＣＰＵ２１１は受信した変更情報の全ての変更フラグが０１か否かを判別する。変更情報の中に変更フラグが０１の画像ファイルが存在する場合は、ステップＳ１７０５に進み、メモリ２１２内の同名の画像ファイルのヘッダ部にサーバ２２０内のバックアップ画像ファイルが消去された情報を書き込む。書き込み終了後、ステップＳ１７０４に戻る。一方、変更情報の中に変更フラグが０１の画像ファイルが存在しない（変更フラグが００または１１の）場合には、ステップＳ１７０６に進み、変更フラグが１１の画像ファイルが存在するか否かを判別する。判別の結果、変更情報の中に変更フラグが１１の画像ファイルが存在しない場合には、画像ファイルのヘッダ書き込み処理タスク２を終了する。一方、変更フラグが１１の画像ファイルが存在する場合には、ステップＳ１７０７に進み、サーバ２２０内の同名の画像ファイルのヘッダ部に撮像装置（デジタルカメラ）１０１内のオリジナル画像ファイルが修正された情報を書き込み、画像ファイルのヘッダ書き込み処理タスク２を終了する。
【００９４】
一連の処理を終えると、図９に示す送信処理タスクに復帰し、ステップＳ９１５で変更情報の送信が完了したメモリ２１２内の画像ファイル及び変更履歴格納エリアの複製フラグを０１から１１に変更し、送信処理タスクを終える。次に、図６に示す画像送受信タスクに復帰し、ステップＳ６０５でＣＰＵ２１１はサーバ２２０との接続を解除する。
【００９５】
なお、本実施例においては、撮像装置（デジタルカメラ）１０１の無線ＬＡＮ回路２１３は撮像装置（デジタルカメラ）１０１に内蔵する構成としているが、外部ユニットとして接続する構成としても良い。
【００９６】
以上実施例によれば、画像転送モードが選択されると、撮影後撮像装置（デジタルカメラ）１０１のメモリ２１２に格納された全ての画像ファイルが遠隔地のサーバ２２０に転送・保存され、メモリ２１２内の画像ファイルも消去されないまま保存されるため、メモリ２１２内に格納された全ての画像ファイルのバックアップをとることが可能となる。また、撮影者がメモリ２１２内に格納された画像ファイルの中からサーバ２２０への送信用画像ファイルを自ら選択し送信することにより、メモリ２１２内に格納された画像ファイルの中から撮影者が選択した画像ファイルのバックアップをとることが可能となる。さらに、サーバ２２０に転送・保存が完了した画像ファイルの格納先情報（画像ファイル名、格納先サーバＩＰアドレス）を送信元の撮像装置に送信し、メモリ２１２内に格納された画像ファイルのヘッダ部に書き込むことにより、メモリ２１２内に保存された画像ファイルの中のバックアップファイルの有無とバックアップファイルの所在を確認することが可能となる。
【００９７】
また、メモリ２１２及びサーバ２２０内に格納された画像ファイルが消去された場合は消去情報を変更履歴格納エリアに書き込み、画像ファイルが修正された場合は修正情報を画像ファイルのヘッダ部に書き込むことにより、画像ファイルの消去・修正情報を保管することが可能となる。
【００９８】
メモリ２１２内に格納された画像ファイルを撮像装置（デジタルカメラ）１０１からサーバ２２０に転送する時に、メモリ２１２及びサーバ２２０内に格納された画像ファイルのヘッダ及び変更履歴格納エリアの消去・修正情報（変更フラグ）を判別し、画像ファイルが消去・修正された機器と異なる機器に画像ファイルの消去・修正情報を送信することにより、バックアップファイルの変更状況を確認することが可能となる。さらに、撮像装置（デジタルカメラ）１０１からサーバ２２０への画像ファイルの転送時にメモリ２１２及びサーバ２２０に格納された画像ファイルのヘッダ及び変更履歴格納エリアの消去・修正情報（変更フラグ）を判別し、送信することにより、通信手段の電源を起こすことなく、画像ファイルの消去・修正情報の送受信を行うことが可能なため省電力となる。
【００９９】
したがって、ユーザーの曖昧な記憶により撮像装置（デジタルカメラ）１０１内のメモリ２１２とサーバ２２０に格納された画像ファイルの両方（オリジナルとバックアップ）の画像ファイルの消去・修正をしてしまうといった誤操作を未然に防ぐことが可能となる。
【図面の簡単な説明】
【０１００】
【図１】本実施の撮像装置（デジタルカメラ）１０１の外観図
【図２】本実施の撮像装置（デジタルカメラ）１０１の構成を示すブロック図
【図３】（ａ）画像ファイルのインデックス表示状態を示す図、（ｂ）画像ファイルの一枚表示状態を示す図
【図４】送信用画像ファイルの選択画面
【図５】操作部材入力処理タスクを示すフローチャート
【図６】画像送受信処理タスクを示すフローチャート
【図７】実施例１における送信処理タスクを示すフローチャート
【図８】画像ファイルのヘッダ書き込み処理タスクを示すフローチャート
【図９】実施例２における送信処理タスクを示すフローチャート
【図１０】（ａ）画像ファイルの消去確認画面、（ｂ）画像ファイルの修正確認画面
【図１１】画像再選択確認画面
【図１２】（ａ）撮像装置（デジタルカメラ）１０１における画像消去処理タスクを示すフローチャート、（ｂ）サーバ２２０における画像消去処理タスクを示すフローチャート
【図１３】（ａ）撮像装置（デジタルカメラ）１０１における画像修正処理タスクを示すフローチャート、（ｂ）サーバ２２０における画像修正処理タスクを示すフローチャート
【図１４】撮像装置（デジタルカメラ）１０１における画像ファイルの変更情報表示処理タスクを示すフローチャート
【図１５】サーバ２２０における画像ファイルの変更情報表示処理タスクを示すフローチャート
【図１６】撮像装置（デジタルカメラ）１０１における画像ファイルのヘッダ書き込み処理タスクを示すフローチャート
【図１７】サーバ２２０における画像ファイルのヘッダ書き込み処理タスクを示すフローチャート
【図１８】（ａ）画像ファイルの消去通知画面、（ｂ）画像ファイルの修正通知画面
【図１９】本実施の画像管理システムの概略図
【図２０】メモリ２１２及びサーバ２２０の格納エリアの詳細図変更履歴格納エリアの詳細図
【符号の説明】
【０１０１】
１０１  撮像装置（デジタルカメラ）
２０９  撮像装置（デジタルカメラ）１０１の液晶表示部
２１２  メモリ
２１３  撮像装置（デジタルカメラ）１０１の無線ＬＡＮ回路
２１５  撮像装置（デジタルカメラ）１０１のレリーズ釦
２１６  撮像装置（デジタルカメラ）１０１の撮影モード切換ダイヤル
２１８  撮像装置（デジタルカメラ）１０１の画像送信釦
２１９  無線ＬＡＮのアクセスポイント
２２０  データベースサーバ（外部記録装置）
２２４  サ−バ２２０の表示部
【図１】
2007300163.tif 000003
【図２】
2007300163.tif 000004
【図３】
2007300163.tif 000005
【図４】
2007300163.tif 000006
【図５】
2007300163.tif 000007
【図６】
2007300163.tif 000008
【図７】
2007300163.tif 000009
【図８】
2007300163.tif 000010
【図９】
2007300163.tif 000011
【図１０】
2007300163.tif 000012
【図１１】
2007300163.tif 000013
【図１２】
2007300163.tif 000014
【図１３】
2007300163.tif 000015
【図１４】
2007300163.tif 000016
【図１５】
2007300163.tif 000017
【図１６】
2007300163.tif 000018
【図１７】
2007300163.tif 000019
【図１８】
2007300163.tif 000020
【図１９】
2007300163.tif 000021
【図２０】
2007300163.tif 000022